(57)【要約】【課題】一般向けのテレビ受像機を接続してその動作制御を容易に実行する。【解決手段】周波数軸上に重畳された複数のテレビ放送信号を受信し、受信した信号中から一つのテレビ放送信号を選局し、その映像及び音声信号を復調して出力するテレビ放送受信部22と、電源投入を指示する電源スイッチ14を含む操作部27と、電源投入の指示に基づいて電源制御部32により自装置の電源を投入させると共にテレビ放送受信部22で出力した映像信号及び音声信号が供給される外部機器に対しても電源供給させ、この電源制御部32による外部機器への電源供給量を電流検出部31により出力電流値で検出させ、検出した出力電流値から外部機器の電源投入状態を判断し、外部機器が待機状態である際には外部機器の電源投入信号をリモコンコード出力部30、出力端子28を介して発信させ、発信された電源投入信号を外部機器で受信可能な信号に変換して送達させる制御部26とを備える。【選択図】図２
2006325102.tif 000002
【特許請求の範囲】
【請求項１】
複数のテレビ放送信号を受信し、受信した信号中から一つのテレビ放送信号を選局してその映像及び音声の各信号を復調し出力する選局手段と、
電源投入を指示する指示手段と、
この指示手段での指示に基づいて自装置の電源を投入させると共に上記選局手段で出力した映像信号及び音声信号が供給される外部機器に対しても電源供給する電源供給手段と、
この電源供給手段による外部機器への電源供給量を出力電流値により検出する検出手段と、
この検出手段で検出した出力電流値から上記外部機器がテレビ放送の視聴状態と待機状態のいずれであるかを判断する判断手段と、
この判断手段で上記外部機器が待機状態であると判断した際に上記外部機器の電源投入信号を発信する発信手段と、
この発信手段で発信された電源投入信号を上記外部機器で受信可能な信号に変換して上記外部機器に送達する送達手段と
を具備したことを特徴とするテレビ放送受信装置。
【請求項２】
複数のテレビ放送信号を受信し、受信した信号中から一つのテレビ放送信号を選局してその映像及び音声の各信号を復調し出力する選局手段と、
電源投入を指示する指示手段と、
この指示手段での指示に基づいて自装置の電源を投入している状態で、上記選局手段で出力した映像信号及び音声信号が供給される外部機器に対しても電源供給する電源供給手段と、
この電源供給手段による外部機器への電源供給量を出力電流値により継続して検出する検出手段と、
この検出手段で検出した出力電流値から上記外部機器がテレビ放送の視聴状態と待機状態のいずれであるかを判断する判断手段と、
この判断手段で上記外部機器が待機状態であると判断した際に上記外部機器の電源投入信号を発信する発信手段と、
この発信手段で発信された電源投入信号を上記外部機器で受信可能な信号に変換して上記外部機器に送達する送達手段と
を具備したことを特徴とするテレビ放送受信装置。
【請求項３】
上記外部機器は、専用のリモートコントローラからの操作信号を受信する受信部を有し、
上記送達手段は、上記発信手段からの電源投入信号を上記専用のリモートコントローラからの操作信号に変換して有線で上記受信部に送達する
ことを特徴とする請求項１または２記載のテレビ放送受信装置。
【発明の詳細な説明】
【技術分野】
【０００１】
本発明は、例えばホテルや旅館、病院等の共同施設構内に敷設する構内テレビ配信網の各端末装置に好適なテレビ放送受信装置に関する。
【背景技術】
【０００２】
一般に、ホテルや旅館等の旅客宿泊施設、あるいは病院等の入院施設でその施設構内に敷設する構内テレビ配信網でテレビ放送を視聴する場合、共用のアンテナで受信した地上波放送、ＢＳ・１１０°ＣＳデジタル放送、地上波デジタル放送、及び施設内で独自に放送する自主放送等の複数の番組を端末装置である専用のテレビ放送受信装置で受信し、このテレビ放送受信装置で選局、復調した映像信号及び音声信号をこのテレビ放送受信装置に接続したテレビ受像機で出力して視聴を行なうことが可能となる。
【０００３】
しかるに、一般的にＳＴＢ（セットトップボックス）とも称される、上記専用のテレビ放送受信装置はＡＣコンセントを備え、テレビ受像機のＡＣコード先端のプラグを接続しておくことで当該テレビ受像機の電源供給をも行なうものとなっている。
【０００４】
テレビ放送受信装置に接続するテレビ受像機としては、上記ＡＣ電源の供給をテレビ放送受信装置から受けることからも、ＡＣ電源が供給されれば直ちにその時点でテレビ放送受信装置から送られてくる映像及び音声の各信号を再生するような業務用途向けのものが望ましい。
【０００５】
このような業務用途向けのテレビ受像機を用いることで、利用者はテレビ放送受信装置用のリモコンの電源ボタンあるいはテレビ放送受信装置本体の前面等に配置された電源ボタンを操作するだけでテレビ受像機にもＡＣ電源が供給され、その時点で選局されているチャンネルの映像及び音声がテレビ受像機より出力されるようになる。
【０００６】
一方で、ＡＣアウトレットからの出力電流を検知する電流検知手段と、該電流検知手段により電流の有無によりテレビ受像機が接続されているか否か記憶する記憶手段とを設け、テレビ受像機が接続されているにもかかわらずホームターミナルの電源オン時に上記出力電流が検出されない場合、テレビ受像機側の主電源がオフとなっていることを在宅者に報知する報知手段とを設けたホームターミナルの技術が考えられている。（例えば、特許文献１）
【特許文献１】特開平０６−０４６０１７号公報
【発明の開示】
【発明が解決しようとする課題】
【０００７】
近時は一般向けのテレビ受像機で、表示素子に液晶パネルやプラズマパネル等の薄型パネルディスプレイを用いた、所謂液晶テレビ、プラズマテレビとも呼称されるタイプのものが普及し、且つそれらがデジタル放送の受信にも対応してきている関係から、これら一般向けのテレビ受像機を構内テレビ配信網にも用いることが多くなっている。
【０００８】
しかるに、液晶テレビ等を含む一般向けのテレビ受像機では、ＡＣ電源を内部で接続／切断する、テレビ受像機本体に備えられた主電源スイッチと、リモートコントローラの電源オンのキー操作信号を受付けるのみのスタンバイ状態及び映像音声を出力する状態を切換るサブ電源スイッチの２系統の電源スイッチを有するものが多い。
【０００９】
この種の一般向けテレビ受像機では、サブ電源スイッチのオン／オフを示す情報が選局や音量等の情報と共に内部のメモリに随時記憶されるものとなっており、主電源スイッチがオン操作された時点でメモリに記憶している動作状態に復帰することとなる。
【００１０】
したがって、一般向けのテレビ受像機をテレビ放送受信装置に接続し、テレビ放送受信装置側でテレビ受像機へのＡＣ電源の供給も含めて制御を行なうものとした場合、テレビ受像機のサブ電源スイッチが切断された状態でテレビ放送受信装置がテレビ受像機へのＡＣ電源の供給を断つと、次にテレビ受像機へのＡＣ電源の供給を再開しても、テレビ受像機側では依然としてサブ電源スイッチが切断されたスタンバイ状態となり、テレビ放送等の視聴を行なうことはできない。
【００１１】
また、このように一般向けのテレビ受像機を接続したテレビ放送受信装置では、選局を含めてすべての制御を、テレビ受像機側のリモートコントローラではなく、テレビ放送受信装置専用のリモートコントローラでの操作により行なうことが前提となり、テレビ受像機は単なるモニタ装置として機能することとなる。
【００１２】
しかし、この専用のリモートコントローラでは、テレビ受像機本体に備えられる主電源スイッチや音量スイッチ、入力切換えスイッチ等の操作に対応することはできない。
【００１３】
したがって、誤ってテレビ受像機側のスイッチが操作されてしまった場合には、テレビ放送受信装置専用のリモートコントローラのキー操作で元の状態に復帰させることはできず、またその旨をガイドメッセージとしてテレビ受像機の表示画面で報知させることなどもできない。
【００１４】
機器の取扱いにきわめて不慣れな者を含む不特定多数の利用者が想定されるホテル客室等にて、上記のような事態が発生することは装置の提供者側として配慮に欠けており、無用のトラブルを引き起こす可能性もあるため、できうる限り回避しなければならない。
【００１５】
本発明は上記のような実情に鑑みてなされたもので、その目的とするところは、一般向けのテレビ受像機を接続してその動作制御を容易に実行することが可能なユーザフレンドリーなテレビ放送受信装置を提供することにある。
【課題を解決するための手段】
【００１６】
本願請求項１記載の発明は、複数のテレビ放送信号を受信し、受信した信号中から一つのテレビ放送信号を選局してその映像及び音声の各信号を復調し出力する選局手段と、電源投入を指示する指示手段と、この指示手段での指示に基づいて自装置の電源を投入させると共に上記選局手段で出力した映像信号及び音声信号が供給される外部機器に対しても電源供給する電源供給手段と、この電源供給手段による外部機器への電源供給量を出力電流値により検出する検出手段と、この検出手段で検出した出力電流値から上記外部機器がテレビ放送の視聴状態と待機状態のいずれであるかを判断する判断手段と、この判断手段で上記外部機器が待機状態であると判断した際に上記外部機器の電源投入信号を発信する発信手段と、この発信手段で発信された電源投入信号を上記外部機器で受信可能な信号に変換して上記外部機器に送達する送達手段とを具備したことを特徴とする。
【００１７】
請求項２記載の発明は、複数のテレビ放送信号を受信し、受信した信号中から一つのテレビ放送信号を選局してその映像及び音声の各信号を復調し出力する選局手段と、電源投入を指示する指示手段と、この指示手段での指示に基づいて自装置の電源を投入している状態で、上記選局手段で出力した映像信号及び音声信号が供給される外部機器に対しても電源供給する電源供給手段と、この電源供給手段による外部機器への電源供給量を出力電流値により継続して検出する検出手段と、この検出手段で検出した出力電流値から上記外部機器がテレビ放送の視聴状態と待機状態のいずれであるかを判断する判断手段と、この判断手段で上記外部機器が待機状態であると判断した際に上記外部機器の電源投入信号を発信する発信手段と、この発信手段で発信された電源投入信号を上記外部機器で受信可能な信号に変換して上記外部機器に送達する送達手段とを具備したことを特徴とする。
【００１８】
請求項３記載の発明は、請求項１または２記載の発明において、上記外部機器は、専用のリモートコントローラからの操作信号を受信する受信部を有し、上記送達手段は、上記発信手段からの電源投入信号を上記専用のリモートコントローラからの操作信号に変換して有線で上記受信部に送達することを特徴とする。
【発明の効果】
【００１９】
請求項１記載の発明によれば、接続した一般向けのテレビ受像機に電源供給を行ない、テレビ受像機が待機状態であれば自動的に電源投入信号を発信して強制的にその動作を立上げてテレビ放送の視聴を実現させるので、利用者になんら負担をかけることなく制御を容易に実行することが可能となる。
【００２０】
請求項２記載の発明によれば、接続した一般向けのテレビ受像機に電源供給を行ない、テレビ受像機でテレビ放送の視聴中に誤ってテレビ受像機側の電源切断操作がされて待機状態となってしまった場合でもこれを即時検出し、自動的に電源投入信号を発信して強制的にその動作を立上げてテレビ放送の視聴を実現させるので、利用者になんら負担をかけることなく制御を容易に実行することが可能となる。
【００２１】
請求項３記載の発明によれば、上記請求項１または２記載の発明の効果に加えて、電源投入信号を上記外部機器専用のリモートコントローラからの操作信号に変換して送達することにより、確実に外部機器の電源投入を実行することができる。
【発明を実施するための最良の形態】
【００２２】
以下本発明を例えばホテル施設構内の各客室毎に設置するテレビ放送受信装置に適用した場合の実施の一形態について図面を参照して説明する。
【００２３】
なお、このホテル施設構内の各客室毎にテレビ放送を配信する配信側の設備では、地上波アナログ放送、地上波デジタル放送、ＢＳデジタル放送、１１０°ＣＳデジタル放送などをそれぞれ専用のアンテナで受信し、それらの出力と館内の自主放送とを混合した後に、同軸ケーブルで構成する配信網を介して、各客室毎に設置された上記テレビ放送受信装置に配信するものとする。
【００２４】
図１は、この客室に配置されたテレビ放送受信装置１と、そのモニタ装置として使用される一般向けの液晶テレビ３との接続構成を示すものである。同図で、テレビ放送受信装置１は図示しない配信網と同軸ケーブル４で接続されて、周波数軸上に配列して重畳された上記複数のテレビ放送信号を受信し、選局したチャンネルの映像と音声とを得て、映像信号（ｖｉｄｅｏ）を映像ケーブル６を介して、同音声信号（ａｕｄｉｏ）を音声ケーブル７を介してそれぞれ液晶テレビ３の各入力端子に送達する。
【００２５】
また、この液晶テレビ３のＡＣ電源ケーブル８先端のプラグをここでは図示しない背面側のＡＣコンセントに接続することで、この液晶テレビ３のＡＣ電源供給も行なう。
【００２６】
さらに、テレビ放送受信装置１からはリモートコントロールコード９が導出され、その先端に位置する赤外線発光ユニット１０が液晶テレビ３前面のリモートコントローラ受光部１１上に貼付される。
【００２７】
テレビ放送受信装置１は、自身のＡＣ電源ケーブル５の先端のプラグをこの客室に予め配置されている図示しないＡＣコンセントに接続するもので、その筐体前面にはリモコン受光部１３及び電源スイッチ１４が配設される。
【００２８】
リモコン受光部１３は、このテレビ放送受信装置１専用のリモートコントローラ２からの赤外線信号を受信するものであり、一方の電源スイッチ１４はテレビ放送受信装置１自体及びこのテレビ放送受信装置１に接続された液晶テレビ３の電源を手動でオン／オフ操作するために備えられる。
【００２９】
液晶テレビ３は、その前面にバックライト付きのカラー液晶パネルでなる表示画面を備えると共に、上記リモコン受光部１１と、映像と音声とを出力する視聴状態と、電源のオンが指示されるのを待機する待機状態とを切り換える電源ボタン１２とを備える。
【００３０】
すなわちこの液晶テレビ３は、近年増加している他の機種と同じく、従来の主電源スイッチに相当するものを持たず、ＡＣ電源ケーブル８を介してＡＣ電源が供給されている状態では常に上記視聴状態あるいは待機状態のいずれかとなる機種であるものとする。
【００３１】
また、この液晶テレビ３に本来付属しているはずの図示しないリモートコントローラは使用せず、このテレビ放送受信装置１及び液晶テレビ３を設置した客室にも配備しないものとする。
【００３２】
次いで上記テレビ放送受信装置１内の詳細な回路構成について説明する。  
図２は、テレビ放送受信装置１内部の機能回路構成を示すものであり、同軸ケーブル４を介して送られてきた信号は分配器２１にて２系統に分配され、テレビ放送受信部２２と高周波モデム２５に伝送される。
【００３３】
テレビ放送受信部２２は、その内部にここでは図示しない地上波チューナ、地上波デジタルチューナ、及びＢＳ・１１０°ＣＳデジタルチューナを並列配置し、後述する制御部２６からの信号に基づいて、一つのチャンネルを上記各チューナの一つで選局して映像信号と音声信号とを復調し、復調した映像信号を上記映像ケーブル６が接続された映像出力端子２３より、音声信号を上記音声ケーブル７が接続された音声出力端子２４よりそれぞれ出力する。
【００３４】
高周波モデム２５は、上記同軸ケーブル４を介して接続される、図示しないフロントコンピュータとの間で、ＦＳＫ変調方式で上り／下りの両データ通信による双方向通信機能を実現するもので、該フロントコンピュータからの下りデータ通信で当該テレビ放送受信装置１に対する視聴制限等の制御情報、各種設定情報を受信して復調し、制御部２６へ送出する一方で、制御部２６からの課金情報や応答情報等を受取り、これを変調した後に分配器２１、同軸ケーブル４を介してフロントコンピュータへ送信する。
【００３５】
これら高周波モデム２５及びテレビ放送受信部２２を含めて、テレビ放送受信装置１全体の動作制御を司るのが制御部２６である。制御部２６は、ＣＰＵとこのＣＰＵの動作プログラム等を不揮発的に記憶したフラッシュメモリ、及びワークメモリであるＲＡＭ等から構成される。
【００３６】
上記制御部２６内のフラッシュメモリには、上記液晶テレビ３に供給されるＡＣ電流値から液晶テレビ３の電源がオン状態またはスタンバイ状態のいずれであるかを判断するための設定値や、上記受信装置用リモコン２ではなく液晶テレビ３専用のリモートコントローラのキーコードデータ、このテレビ放送受信装置１固有のアドレス番号等も予め記憶されている。
【００３７】
また、上記制御部２６内のワークメモリには、上記受信装置用リモコン２の電源キーまたはその他のキー操作を受付けて液晶テレビ３の電源をオン／オフする際のステータス情報等が記憶される。
【００３８】
しかるに上記制御部２６には、上記テレビ放送受信部２２及び高周波モデム２５の他に、上記電源スイッチ１４や他のキーを含む操作部２７、上記リモコン受光部１３、磁気カードリーダ／ライタ（カードＲ／Ｗ）２９、リモコンコード出力部３０、電流検出部３１、及び電源制御部３２が接続される。
【００３９】
リモコン受光部１３は、上記受信装置用リモコン２でのキー操作により送信されてくる赤外線変調信号を受信し、これを復調して対応するキーコードデータを得、制御部２６に送出する。
【００４０】
磁気カードリーダ／ライタ２９は、常時においてはこのホテルの客室を利用する利用者が、有料番組を視聴するために購入したプリペイドカードを挿入するもので、有料番組を視聴するとその料金に応じた度数を減算し、該プリペイドカードの排出が指示された時点で残度数データ等を書込んだ後に排出する。
【００４１】
なお、この磁気カードリーダ／ライタ２９は、上述したホテル利用者がプリペイドカードを挿入する他に、このホテルの施設管理者が各種の設定データを記録した設定カードや確認カード等を挿入することで、設定変更や記憶データの確認を実行することも可能であるものとする。
【００４２】
リモコンコード出力部３０は、制御部２６内のフラッシュメモリに予め記憶されている液晶テレビ３の電源などを制御するキーコードデータからその変調信号を生成して出力端子２８より出力し、上記リモコンコード９、赤外線発光ユニット１０を介して液晶テレビ３のリモコン受光部１１へ直接且つ確実に送達する。
【００４３】
電源制御部３２は、上記ＡＣ電源ケーブル５を介して供給されるＡＣ電源から上記各回路の動作用のＤＣ電源を作成して供給する一方で、内部のリレー制御により必要に応じてＡＣ電源を液晶テレビ用ＡＣコンセント３３に印加し、上記ＡＣ電源ケーブル８を介して液晶テレビ３に供給させる。
【００４４】
この液晶テレビ用ＡＣコンセント３３における出力電流値を電流検出部３１が検出して上記制御部２６へ出力し、その検出値がデジタル変換される。
【００４５】
次に上記実施の形態の動作について説明する。  
図３は、テレビ放送受信装置１での電源がオフとなっている状態からの電源制御の処理内容を示すもので、基本的には制御部２６内のＣＰＵが同制御部２６内のフラッシュメモリに記憶されている動作プログラムに基づいて実行するものである。
【００４６】
その当初に制御部２６は、受信装置用リモコン２または操作部２７のキーが操作されたか否かを繰返し判断することで（ステップＳ０１）、これらのキー操作を待機する。
【００４７】
そして、その操作がなされたと判断した時点で、次に操作されたのが受信装置用リモコン２の電源キーか、あるいは操作部２７の電源スイッチ１４であるか否かを判断する（ステップＳ０２）。
【００４８】
ここで、操作されたのが受信装置用リモコン２の電源キーあるいは電源スイッチ１４以外のものであった場合には、その操作は無効であるものとして再び上記ステップＳ０１からの処理に戻る一方で、受信装置用リモコン２の電源キーあるいは電源スイッチ１４が操作された場合には、直ちにテレビ放送受信装置１自体の電源をオンしてテレビ放送の受信動作を開始すると共に（ステップＳ０３）、電源制御部３２により内部のリレーを閉じ、液晶テレビ用ＡＣコンセント３３を介して液晶テレビ３側へＡＣ電源を供給させる（ステップＳ０４）。
【００４９】
図４（Ａ）は、このテレビ放送受信装置１側の制御部２６による液晶テレビ３へのＡＣ電源の供給タイミングを例示するもので、図中に示すタイミングＴ１で受信装置用リモコン２の電源キーあるいは電源スイッチ１４が操作され、制御部２６がこれに対応して液晶テレビ３へＡＣ電源を供給していることを示す。
【００５０】
この液晶テレビ３への電源供給を行なっている状態で、電流検出部３１により液晶テレビ用ＡＣコンセント３３での出力電流値を検出させ（ステップＳ０５）、その検出した出力電流値が予め設定された値を越えているか否かにより、液晶テレビ３が電源オンの操作を待機するスタンバイ状態ではなく、テレビ放送の視聴動作を行なう電源オン状態であるか否かを判断する（ステップＳ０６）。
【００５１】
ここで、電流検出部３１で得た電流検出値が制御部２６内のフラッシュメモリに予め記憶されている設定値以下であり、液晶テレビ３がスタンバイ状態であると判断した場合に制御部２６は、液晶テレビ３の専用リモートコントローラの電源キー操作のキーコードデータを内部のフラッシュメモリより読出し、これをリモコンコード出力部３０で変調させて出力端子２８より出力させ、上記リモコンコード９、赤外線発光ユニット１０を介して液晶テレビ３のリモコン受光部１１へ直接且つ確実に送達することで、液晶テレビ３専用の図示しないリモートコントローラでの電源キー操作があった場合と同様に、スタンバイ状態にある液晶テレビ３の電源を自動的にオンさせた後（ステップＳ０７）、再度上記ステップＳ０５からの処理に戻る。
【００５２】
図４（Ｃ）は、このとき電流検出部３１が検出する電流値の変化を示すものであり、上記図４（Ａ）でも示したようにタイミングＴ１で液晶テレビ３の電源がオンされた後、液晶テレビ３がスタンバイ状態となっているために、ＡＣ電源の供給に伴って消費する電流値も上記予め記憶されている設定値Ａ１を下回るものとなるので、制御部２６がこれを検出し、上記ステップＳ０７での処理により液晶テレビ３の電源を自動的にオンさせることで、結果として上記タイミングＴ１から時間Ｔ２だけ遅れたタイミングで液晶テレビ３でのテレビ放送の視聴が可能となり、以後もテレビ放送受信装置１からの液晶テレビ３へのＡＣ電源の供給が続行される。
【００５３】
また、上記ステップＳ０６で電流検出部３１で得た電流検出値が予め設定された値を越えており、液晶テレビ３の電源はすでにオンされてテレビ放送の視聴を行なっていると判断した場合に制御部２６は、受信装置用リモコン２または操作部２７のキーが操作されたか否かを判断し（ステップＳ０８）、操作されていなければ再び上記ステップＳ０５からの処理に戻ることで、これらのキー操作を待機する。
【００５４】
図４（Ｂ）は、このとき電流検出部３１で検出される電流値の変化を示すものであり、上記図４（Ａ）でも示したようにタイミングＴ１で液晶テレビ３の電源がオンされた後、液晶テレビ３がテレビ放送の視聴を行なうことで、ＡＣ電源の供給に伴って消費する電流値が上記予め記憶されている設定値Ａ１を充分越えることにより、これを検出して、以後液晶テレビ３へのＡＣ電源の供給を続行するものである。
【００５５】
しかして、ステップＳ０５，Ｓ０６，Ｓ０８の処理を繰返し実行することで、液晶テレビ３の電源ボタン１２が利用者に不用意に操作されて液晶テレビ３がスタンバイ状態となってしまった場合でも、ステップＳ０５，Ｓ０６での処理により即時これを判断し、上記ステップＳ０７での処理により自動的に液晶テレビ３の電源を再度オンとすることができる。
【００５６】
図４（Ｄ）は、このような場合に電流検出部３１が検出する電流値の変化を例示するものである。この場合、テレビ放送受信装置１の電源制御部３２から液晶テレビ用ＡＣコンセント３３を介して液晶テレビ３へのＡＣ電源の供給が継続されている過程で、例えば液晶テレビ３の電源ボタン１２が利用者により不用意に操作されてしまい、液晶テレビ３がテレビ放送の視聴動作からスタンバイ状態に移行してしまった場合でも、電流検出部３１が液晶テレビ３への出力電流値を検出し続けているために制御部２６がその状態を検出することができ、出力電流値が予め記憶されている設定値Ａ１を下回ってから時間Ｔ３が経過した時点で制御部２６が上記ステップＳ０７での処理により液晶テレビ３の電源を自動的に再度オンさせ、再び液晶テレビ３でのテレビ放送の視聴が可能となる。
【００５７】
その後、利用者により受信装置用リモコン２または操作部２７のキーが操作されるとステップＳ０８でこれを判断し、次に操作されたのが受信装置用リモコン２の電源キーか、あるいは操作部２７の電源スイッチ１４であるか否かを判断する（ステップＳ０９）。
【００５８】
ここで、操作されたのが受信装置用リモコン２の電源キーあるいは電源スイッチ１４以外のものであった場合には、視聴するチャンネルの変更やボリューム調整など、操作されたキーに対応してテレビ放送の視聴制御を行なった後に（ステップＳ１０）、再び上記ステップＳ０５からの処理に戻る。
【００５９】
また、上記ステップＳ０９で受信装置用リモコン２の電源キーあるいは電源スイッチ１４が操作されたと判断した場合には、電源制御部３２による液晶テレビ用ＡＣコンセント３３を介しての液晶テレビ３側への電源供給を停止させた後に（ステップＳ１１）、テレビ放送受信装置１自体の電源もオフし（ステップＳ１２）、以上で一連の処理を出力するものとして、再び次の電源オン指示に備えるべく、上記ステップＳ０１からの処理に戻る。
【００６０】
このように、テレビ放送受信装置１に接続した一般向けの液晶テレビ３をテレビ受像機として併せてＡＣ電源を供給すると共に、液晶テレビ３が待機状態であれば自動的にその電源をオンさせるべく信号を発信して強制的にその動作を立上げ、テレビ放送の視聴を実現させるので、利用者になんら負担をかけることなく制御を容易に実行することが可能となる。
【００６１】
加えて、テレビ放送受信装置１の電源オン時のみではなく、一旦テレビ放送の視聴を開始した後に、その視聴中に誤って液晶テレビ３側の電源スイッチ１４が操作がされてスタンバイ状態となってしまった場合でもこれを即時検出し、自動的に液晶テレビ３の電源をオンさせる信号を発信して強制的にその動作を立上げ、テレビ放送の視聴を再開させるので、利用者になんら負担をかけることなく制御を容易に実行することが可能となる。
【００６２】
特に、液晶テレビ３の電源をオンさせる信号をこの液晶テレビ３専用のリモートコントローラで発せられる信号に変換して液晶テレビ３のリモコン受光部１１まで送達することにより、確実に液晶テレビ３の電源をオンさせることができる。
【００６３】
なお、上記実施の形態では、テレビ放送受信装置１からリモコンコード９及びその先端の赤外線発光ユニット１０を介してテレビ受像機３のリモコン受光部１１に送出する信号は、電源のオン／オフを指示するものであるものとして説明したが、これに限らず、音量調節、入力切換え、選局等の他の指示動作に係るキーコードの信号も含めてテレビ受像機３へ送出するものとしてもよい。
【００６４】
また、上記実施の形態はテレビ放送受信装置１に接続されるテレビ受像機として液晶テレビ３を用いるものとしたが、接続されるテレビ受像機の表示素子は液晶表示パネルを用いるものに限定することなく、プラズマディスプレイあるいはＣＲＴ（ブラウン管）を用いたものなどでもよいことは勿論である。
【００６５】
さらに上記実施の形態は、ホテル施設構内の各客室毎に設置するテレビ放送受信装置に適用した場合について説明したものであるが、本発明はこれに限らず、施設構内で利用するテレビ配信網の各端末としての業務用テレビ放送受信装置であれば、旅館等の宿泊施設、あるいは病院等の宿泊施設等に配置するものでも同様に適用可能である。
【００６６】
その他、本発明は上記実施の形態に限らず、その要旨を逸脱しない範囲内で種々変形して実施することが可能であるものとする。
【００６７】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【００６８】
【図１】本発明の実施の一形態に係るテレビ放送受信装置とテレビ受像機との接続構成を示すブロック図。
【図２】同実施の形態に係るテレビ放送受信装置内部の機能回路構成を示すブロック図。
【図３】同実施の形態に係る主として電源制御に関する処理内容を示すフローチャート。
【図４】同実施の形態に係る電源制御に関する処理事例を示すタイミングチャート。
【符号の説明】
【００６９】
１…テレビ放送受信装置、２…受信装置用リモコン、３…テレビ受像機、４…同軸ケーブル（構内配信網）、５…ＡＣ電源コード、６…映像ケーブル、７…音声ケーブル、８…ＡＣ電源ケーブル、９…リモコンコード、１０…赤外線発光ユニット、１１…リモコン受光部、１２…電源ボタン、１３…リモコン受光部、１４…電源スイッチ、２１…分配器、２２…テレビ放送受信部、２３…映像出力端子、２４…音声出力端子、２５…高周波モデム、２６…制御部、２７…操作部、２８…出力端子、２９…磁気カードリーダ／ライタ（カードＲ／Ｗ）、３０…リモコンコード出力部、３１…電流検出部、３２…電源制御部、３３…液晶テレビ用ＡＣコンセント。
【図１】
2006325102.tif 000003
【図２】
2006325102.tif 000004
【図３】
2006325102.tif 000005
【図４】
2006325102.tif 000006